(57)【特許請求の範囲】
【請求項１】
電流遮断の過程で固定接触子から可動接触子を離間動作させる際に生じるアークに対し、駆動コイルの励磁により生じる磁力にて前記アークをガス中で移動させ前記アークに対して相対的にガスを吹き付ける磁気駆動作用と、アークエネルギーによるガスの加熱により熱パッファ室内にてガスの蓄圧を行いこの蓄圧したガスを前記アークに対して吹き付ける熱パッファ作用との両者のアーク消弧作用を併用するガス遮断器であって、
前記熱パッファ室に対して容量調整室を並設し、前記熱パッファ室内のガス圧を受けて前記熱パッファ室側から前記容量調整室側へのガスの放出を可能として前記熱パッファ室の見かけ上の容量が大きくなるように可変に構成されており、
前記熱パッファ室と前記容量調整室との間には、前記熱パッファ室内のガス圧が所定圧力を超えると前記熱パッファ室側から前記容量調整室側への一方向のガスの放出を許容する第１逆止弁が備えられてなるとともに、
前記容量調整室側からその室外への一方向のガスの放出を許容する第２逆止弁が備えられ、略筒状とした前記固定接触子の内側に前記第２逆止弁が配置されてなることを特徴とするガス遮断器。
【請求項２】
電流遮断の過程で固定接触子から可動接触子を離間動作させる際に生じるアークに対し、駆動コイルの励磁により生じる磁力にて前記アークをガス中で移動させ前記アークに対して相対的にガスを吹き付ける磁気駆動作用と、アークエネルギーによるガスの加熱により熱パッファ室内にてガスの蓄圧を行いこの蓄圧したガスを前記アークに対して吹き付ける熱パッファ作用との両者のアーク消弧作用を併用するガス遮断器であって、
前記熱パッファ室に対して容量調整室を並設し、前記熱パッファ室内のガス圧を受けて前記熱パッファ室側から前記容量調整室側へのガスの放出を可能として前記熱パッファ室の見かけ上の容量が大きくなるように可変に構成されており、
前記容量調整室は、自身の容量を前記熱パッファ室内のガス圧を受けて連続的に可変する容量可変機構を備えて構成されていることを特徴とするガス遮断器。
【請求項３】
請求項１又は２に記載のガス遮断器において、
前記熱パッファ室と前記容量調整室とは、前記可動接触子の接離方向に沿って並設されてなることを特徴とするガス遮断器。
【発明の詳細な説明】
【技術分野】
【０００１】
本発明は、磁気駆動併用熱パッファ形のガス遮断器に関する。
【背景技術】
【０００２】
ガス遮断器（ＧＣＢ）は、ガス絶縁開閉装置（ＧＩＳ）の一つの構成要素として用いられ、ＳＦ６ガス等の絶縁ガスが収容されるタンク内に組み込まれている。ガス遮断器としては、その一つとして例えば特許文献１にあるように、磁気駆動併用熱パッファ形のガス遮断器がある。
【０００３】
磁気駆動併用熱パッファ形ガス遮断器は、駆動コイルで生じる磁力にてアークをガス雰囲気中で周回駆動させアークに相対的なガスの吹き付けを行う磁気駆動作用と、アーク熱にて蓄圧されたガスの放出の際にアークに対して吹き付ける熱パッファ作用とが共に得られるように構成されている。そして、両者のアーク消弧作用によって、より効果的な電流遮断が可能となっている。
【先行技術文献】
【特許文献】
【０００４】
【特許文献１】特開平６−２９０６８８号公報
【発明の概要】
【発明が解決しようとする課題】
【０００５】
ところで、ガス遮断器にて電流遮断を行う際、遮断する電流が大きいか小さいかでアークエネルギーが大小し、このことが熱パッファ室内のガスの加熱度合いに差を生じさせ、ガスの蓄圧度合いに差が生じてしまう。しかも、遮断する電流の大小はコイルの起磁力をも大小させ、アークの周回駆動に差を生じさせる。このことによっても熱パッファ室内のガスの加熱度合いに差を生じさせ、ガスの蓄圧度合いに差が生じることとなる。
【０００６】
つまり、大電流遮断時では熱パッファ室内のガス圧は高く、小電流遮断時では熱パッファ室内のガス圧は低くなる傾向となるため、遮断電流の大きさで熱パッファによるアークへのガスの吹き付け圧力や吹き付け量に差が生じ、アーク消弧作用がばらつくことが懸念される。特に広範囲の電流遮断を求められるガス遮断器においては、その時々の遮断電流の大きさが大きくばらつくため、これに伴いアーク消弧作用が大きくばらつくことが懸念されるところである。
【０００７】
本発明は、上記課題を解決するためになされたものであって、その目的は、遮断電流の大きさに起因するアーク消弧作用のばらつきを抑え、遮断性能の向上を図ることができるガス遮断器を提供することにある。
【課題を解決するための手段】
【０００８】
上記課題を解決するガス遮断器は、電流遮断の過程で固定接触子から可動接触子を離間動作させる際に生じるアークに対し、駆動コイルの励磁により生じる磁力にて前記アークをガス中で移動させ前記アークに対して相対的にガスを吹き付ける磁気駆動作用と、アークエネルギーによるガスの加熱により熱パッファ室内にてガスの蓄圧を行いこの蓄圧したガスを前記アークに対して吹き付ける熱パッファ作用との両者のアーク消弧作用を併用するガス遮断器であって、前記熱パッファ室に対して容量調整室を並設し、前記熱パッファ室内のガス圧を受けて前記熱パッファ室側から前記容量調整室側へのガスの放出を可能として前記熱パッファ室の見かけ上の容量が大きくなるように可変に構成される。
【０００９】
この構成によれば、熱パッファ室に対して容量調整室が並設され、熱パッファ室内のガス圧を受けて熱パッファ室側から容量調整室側にガスが放出されることで熱パッファ室の見かけ上の容量が大きくなる。つまり、熱パッファ室内のガス圧が低くなりがちな比較的電流値の小さい電流遮断を行う場合には、熱パッファ室の見かけ上の容量拡大が抑えられて熱パッファ室内に十分なガス圧を確保しつつも、熱パッファ室内のガス圧が高くなりがちな比較的電流値の大きい電流遮断を行う場合には、熱パッファ室の見かけ上の容量拡大がなされて熱パッファ室内のガス圧が高くなり過ぎることが抑えられる。これにより、熱パッファによるアーク消弧作用が遮断電流の大きさによってばらつくことが抑えられ、ガス遮断器の遮断性能の向上が期待できる。
【００１０】
また、上記のガス遮断器において、前記熱パッファ室と前記容量調整室とは、前記可動接触子の接離方向に沿って並設されることが好ましい。
この構成によれば、熱パッファ室と容量調整室とが可動接触子の接離方向に沿って並設されるため、同方向と直交する方向へのガス遮断器の大型化が抑えられる。
【００１１】
また、上記のガス遮断器において、前記熱パッファ室と前記容量調整室との間には、前記熱パッファ室内のガス圧が所定圧力を超えると前記熱パッファ室側から前記容量調整室側への一方向のガスの放出を許容する逆止弁が備えられることが好ましい。
【００１２】
この構成によれば、熱パッファ室と容量調整室との間に逆止弁が用いられる構成のため、比較的簡素な構成にて実現可能である。
また、上記のガス遮断器において、前記熱パッファ室側から前記容量調整室側への一方向のガスの放出を許容する逆止弁を第１逆止弁とすると、前記容量調整室側からその室外への一方向のガスの放出を許容する第２逆止弁が備えられ、略筒状とした前記固定接触子の内側に前記第２逆止弁が配置されることが好ましい。
【００１３】
この構成によれば、容量調整室側からその室外への一方向のガスの放出を許容する逆止弁（第２逆止弁）は筒状をなす固定接触子の内側に配置されるため、固定接触子の内側スペースを有効利用でき、ガス遮断器の大型化の抑制に寄与できる。
【００１４】
また、上記のガス遮断器において、前記容量調整室は、自身の容量を前記熱パッファ室内のガス圧を受けて連続的に可変する容量可変機構を備えて構成されることが好ましい。
この構成によれば、容量調整室には、自身の容量を熱パッファ室内のガス圧を受けて連続的に可変する容量可変機構が備えられるため、熱パッファ室内のガス圧を連続的に調整することが可能である。
【発明の効果】
【００１５】
本発明のガス遮断器によれば、遮断電流の大きさに起因するアーク消弧作用のばらつきを抑え、遮断性能の向上を図ることができる。
【図面の簡単な説明】
【００１６】
【図１】一実施形態における磁気駆動併用熱パッファ形ガス遮断器の断面図である。
【図２】（ａ）〜（ｃ）はガス遮断器の動作を説明するための断面図である。
【図３】別例におけるガス遮断器の断面図である。
【図４】別例におけるガス遮断器の断面図である。
【図５】別例におけるガス遮断器の断面図である。
【発明を実施するための形態】
【００１７】
以下、ガス遮断器の一実施形態について説明する。
図１に示す本実施形態のガス遮断器１０は、磁気駆動併用熱パッファ形のガス遮断器である。ガス遮断器１０は、ガス絶縁開閉装置（図示略）の一構成要素として用いられ、ＳＦ６ガス等の絶縁ガスが収容されるタンク（図示略）内に組み込まれている。つまり、ガス遮断器１０は、絶縁ガスの雰囲気中に配置されている。
【００１８】
ガス遮断器１０は、それぞれ円筒状をなす固定接触子１１と可動接触子１２とが同軸上に配置され、固定接触子１１に対して可動接触子１２が接離動作を行うように構成されている。本実施形態のガス遮断器１０は、固定接触子１１及び可動接触子１２の軸方向が垂直方向に沿うように配置され、上側に固定接触子１１が、下側に可動接触子１２が配置されてなる。因みに、図１におけるガス遮断器１０の中心線から左側の状態は、ガス遮断器１０の閉状態（投入状態）であり、固定接触子１１側の電路と可動接触子１２側の電路とを接続した状態である。また、図１におけるガス遮断器１０の中心線から右側の状態は、ガス遮断器１０の開状態（遮断状態）であり、固定接触子１１側の電路と可動接触子１２側の電路との接続を遮断した状態である。
【００１９】
固定接触子１１は略円筒状に構成されており、その外側には同じく略円筒状のコイル支持部１３が同軸状に設けられ、互いの基端部（図１において上端部）が連結状態となっている。コイル支持部１３は、軸方向長さが固定接触子１１よりも若干短く構成されている。コイル支持部１３の先端部（図１において下端部）には、その先端周縁に沿って自身の中心軸周りに周回する巻回形状をなす駆動コイル１４が取り付けられている。駆動コイル１４のコイル支持部１３とは反対側（図１において下側）には、円環板状のアークランナ１５が取り付けられている。アークランナ１５の内径は固定接触子１１の内径と略同じであり、軸方向においてアークランナ１５と固定接触子１１とは所定距離を有して離間している。
【００２０】
ここで、固定接触子１１、コイル支持部１３、及びアークランナ１５は導体製である。そして、アークランナ１５と駆動コイル１４の一端とは電気的に接続され、駆動コイル１４の他端とコイル支持部１３の先端部とは電気的に接続されている。つまり、可動接触子１２が固定接触子１１から後退する際に可動接触子１２とアークランナ１５との間にアークが生じると、このアークに基づく電流がコイル支持部１３（固定接触子１１）、駆動コイル１４及びアークランナ１５という経路で流れ、駆動コイル１４が励磁するようになっている。
【００２１】
固定接触子１１の基端部は、同じく導体製の上側容器１６と一体に連結されている。上側容器１６は略有底円筒状をなし、上底部１６ａとは間隔を有して中間壁部１６ｂが設けられている。つまり、上底部１６ａ及び中間壁部１６ｂと上側容器１６の周壁部１６ｃとで空間が形成され、該空間を容量調整室１７としている（容量調整室１７としての機能は後述）。中間壁部１６ｂと固定接触子１１（コイル支持部１３）の基端部とは一体に連結されている。中間壁部１６ｂは周壁部１６ｃの軸方向中間位置に連結されており、周壁部１６ｃの先端部（図１において下端部）は中間壁部１６ｂよりも下方に突出している。また、周壁部１６ｃとコイル支持部１３とは、径方向に所定距離を有して離間している。
【００２２】
周壁部１６ｃの先端部には、絶縁製のノズル部材１８が取り付けられている。ノズル部材１８は略円筒状をなし、基端部（図１において上端部）が上側容器１６の周壁部１６ｃの先端部に一体に連結されている。ノズル部材１８の周壁部１８ａは、軸方向に上側容器１６の周壁部１６ｃから連続して軸方向に延設されている。つまり、ノズル部材１８の周壁部１８ａにおいてもコイル支持部１３と径方向に所定距離を有して離間している。ノズル部材１８の周壁部１８ａは、アークランナ１５が設けられる位置よりも軸方向に十分に長く延設されている。
【００２３】
ノズル部材１８の周壁部１８ａの先端部（図１において下端部）からは、折り返されるようにして中心軸方向に向けて斜めに延びる形状をなすノズル部１８ｂとして構成されている。ノズル部１８ｂの先端部は、アークランナ１５の内周縁近くまで延設されている。ノズル部１８ｂの先端部の内径は、アークランナ１５及び固定接触子１１の内径と略同じに設定されている。
【００２４】
上側容器１６の中間壁部１６ｂ、周壁部１６ｃ、ノズル部材１８の周壁部１８ａ、ノズル部１８ｂ、コイル支持部１３、駆動コイル１４及びアークランナ１５で囲むようにして略円筒状の空間が形成され、該空間を熱パッファ室（蓄圧室）１９としている。また、ノズル部１８ｂの先端部はアークランナ１５の近くまで延設されるものの、そのアークランナ１５に対しては軸方向に所定距離を有して離間している。つまり、ノズル部１８ｂの先端部とアークランナ１５との間に形成される幅狭の開口は、熱パッファ室１９内で蓄圧されたガスの噴射口１９ａとして機能する。
【００２５】
熱パッファ室１９の一部を形成する上側容器１６の中間壁部１６ｂの外周寄りの部位には、逆止弁２０が構成されている。逆止弁２０は、中間壁部１６ｂに形成された貫通孔１６ｄに対し、熱パッファ室１９とは反対側（上底部１６ａ側）の開口を塞ぐように板状の弁体２０ａが配置され、弁体２０ａが貫通孔１６ｄを塞ぐように付勢バネ２０ｂにて付勢するように構成されている。この逆止弁２０の機能としては、熱パッファ室１９内に蓄圧されるガスが所定圧力を超えるような場合、弁体２０ａが付勢バネ２０ｂの付勢力に抗して貫通孔１６ｄから離間することで逆止弁２０が開弁する。これにより、熱パッファ室１９が容量調整室１７と連通し、熱パッファ室１９内のガスの圧力上昇が抑制されるようになっている。
【００２６】
因みに、逆止弁２０の一構成例としては、貫通孔１６ｄは中間壁部１６ｂの周方向に等間隔に複数設けられ、各貫通孔１６ｄは周方向に所定長さの円弧形状にて形成される。また、弁体２０ａは各貫通孔１６ｄの全部を同時に塞ぐことが可能な円環板状のものを用い、付勢バネ２０ｂは各貫通孔１６ｄ間にそれぞれ配置される。
【００２７】
上側容器１６の中間壁部１６ｂの中央部には、略円筒状をなしている固定接触子１１の内側部分に逆止弁２１が構成されている。逆止弁２１は、中間壁部１６ｂに形成された貫通孔１６ｅに対し、固定接触子１１側の開口を塞ぐように略板状の弁体２１ａが配置され、弁体２１ａが貫通孔１６ｅを塞ぐように付勢バネ２１ｂにて付勢するように構成されている。この逆止弁２１の機能としては、固定接触子１１側（熱パッファ室１９側）のガス圧が容量調整室１７側よりも相対的に低くなった場合に、弁体２１ａが付勢バネ２１ｂの付勢力に抗して貫通孔１６ｅから離間することで逆止弁２１が開弁し、容量調整室１７に蓄圧されたガスが放出されるようになっている。
【００２８】
可動接触子１２は、導体製で略円筒状に構成されている。可動接触子１２は、その外径が固定接触子１１の内径と略同じに設定され、固定接触子１１に対して内嵌にて嵌挿可能に構成されている。そして、可動接触子１２は、駆動機構（図示略）により中心軸に沿った往復直線動作（図１において上下動）、即ち固定接触子１１に対して接離動作を行うようになっている。また、可動接触子１２は、アークランナ１５の内縁部やノズル部１８ｂの内縁部を通過する際も、固定接触子１１の内径と略同じ設定となっている各内縁部に対して略接触又は近接する状態となる。
【００２９】
次に、ガス遮断器１０の動作、特に遮断動作を説明する。
図１の左側に示すガス遮断器１０の閉状態（投入状態）では、固定接触子１１に可動接触子１２の先端部が嵌挿された状態となっており、固定接触子１１側の電路と可動接触子１２側の電路とが電気的な接続状態にある。
【００３０】
このようなガス遮断器１０の閉状態から可動接触子１２が下方に後退動作し、図１の右側に示す完全な開状態（遮断状態）に移行するまでの過程において、先ず、可動接触子１２が若干後退して可動接触子１２の先端部が固定接触子１１から若干離間する例えば図２（ａ）の状態では、可動接触子１２の先端部と固定接触子１１の先端部との間にアークＡが生じる。
【００３１】
次いで、可動接触子１２が更に後退し、アークＡが消弧しないで継続する状況では、可動接触子１２の先端部で生じていたアークＡは、固定接触子１１からアークランナ１５側に移行する。例えば図２（ｂ）の状態では、可動接触子１２の先端部とアークランナ１５の内縁部との間にアークＡが生じる。すると、このアークＡに基づく電流がコイル支持部１３（固定接触子１１）、駆動コイル１４及びアークランナ１５という経路で流れ、駆動コイル１４が励磁状態になる。
【００３２】
これにより、可動接触子１２の先端部とアークランナ１５の内縁部との間に生じているアークＡがそれぞれ先端部及び内縁部に沿って図２（ｂ）のα矢印のように周回駆動し、アークＡが高速でガス内を移動する。換言すれば、アークＡに対して相対的にガスを吹き付けることに相当するアーク消弧作用が生じるようになっている（磁気駆動作用）。因みに、円筒状をなす可動接触子１２の先端部に沿うようにしてアークＡが周回することから、可動接触子１２の先端部のアークＡによる摩耗は局部的でなく平均的になされる。
【００３３】
また、可動接触子１２の先端部とアークランナ１５の内縁部との間のアークＡは、熱パッファ室１９の開口部であるノズル部１８ｂ近傍であるため、アークＡが周回駆動することで熱パッファ室１９のガスの温度が上昇する。またこの場合、可動接触子１２はノズル部１８ｂの内縁部の開口を塞ぐような挿入状態となっているため、先のガスの温度上昇に伴って熱パッファ室１９内にガスの蓄圧がなされる。
【００３４】
次いで、可動接触子１２が更に後退し、可動接触子１２の先端部がノズル部１８ｂの内縁部から若干離間する例えば図２（ｃ）の状態になると、同図のβ矢印のように熱パッファ室１９内に蓄圧されたガスがその可動接触子１２の先端部とノズル部１８ｂの内縁部との隙間から勢い良く放出される。つまり、可動接触子１２の先端部とアークランナ１５の内縁部との間でアークＡが継続するような場合に、そのアークＡに向けてノズル部１８ｂからガスを吹き付けることによるアーク消弧作用が生じるようになっている（熱パッファ作用）。
【００３５】
ここで、本実施形態のように熱パッファ室１９に逆止弁２０を介して容量調整室１７を並設する構造のものと、熱パッファ室の容量（容積）が一定の従来構造（容量調整室が無い構造）のものとを電流遮断性能の観点で比較してみる。
【００３６】
遮断電流の大きさによってアークエネルギーが異なるとガスの加熱度合いが異なるため、熱パッファ室の容量が一定の従来構造では、ガスの蓄圧度合いに差が生じ、アークに対するガスの吹き付け圧力や吹き付け量に差が生じ、熱パッファによるアーク消弧作用がばらつく。そのため、熱パッファ室の容量等を遮断電流の小さい方に合わせて小さい容量に設定した場合、大電流の電流遮断を行うと熱パッファ室のガス圧が高くなり過ぎて、ガスの吹き付けが一気に行われてしまい、特にガスの吹き付けが必要な電流零点付近（交流電流の零点直後でアークが生じ易い）でガスの吹き付けが不足する虞がある。一方、遮断電流の大きい方に合わせて熱パッファ室を大きい容量に設定した場合、小電流の電流遮断を行うと熱パッファ室のガス圧がさほど高くならず、ガスの吹き付けが不足する虞がある。何れの設定においても、遮断電流の大きさによってアーク消弧作用がばらついてしまう。このことは、遮断電流が広範囲となる仕様ほど顕著となる。
【００３７】
これに対し本実施形態では、熱パッファ室１９内のガス圧が所定圧力以下では逆止弁２０が開弁せず、熱パッファ室１９が単体で機能する。一方、熱パッファ室１９内のガス圧が所定圧力を超えると逆止弁２０が開弁し、熱パッファ室１９と容量調整室１７とが連通状態となって容量が拡大し、熱パッファ室１９のガス圧の上昇が抑えられる。換言すれば、熱パッファ室１９内のガス圧を適正圧力とするために、逆止弁２０の主として付勢バネ２０ｂの選定がなされている。
【００３８】
つまり、熱パッファ室１９内のガス圧が所定圧力以下となるような比較的電流値の小さい電流遮断を行う場合、熱パッファ室１９の単体でガスの蓄圧を行うようにその容積等を設定しておくことで、小さい電流遮断でも熱パッファ室１９内のガス圧を十分に高めることが可能である。また一方で、熱パッファ室１９内のガス圧が所定圧力を超えるような比較的電流値の大きい電流遮断を行う場合、逆止弁２０を開弁させて熱パッファ室１９と容量調整室１７とが共にガスの蓄圧を行う設定としておくことで、大きい電流遮断で過度に熱パッファ室１９内のガス圧が高くなり過ぎることが抑えられる。このように本実施形態では、熱パッファによるアーク消弧作用が遮断電流の大きさによってばらつくことが抑えられるようになっており、ガス遮断器１０の遮断性能の向上が図られている。
【００３９】
尚、熱パッファによるアーク消弧動作時には、熱パッファ室１９側のガス圧が容量調整室１７側よりも低くなるためにもう一方の逆止弁２１が開弁し、容量調整室１７内のガス圧を低下させることが行われる。容量調整室１７内の圧力を下げておくことで、次回以降に熱パッファ室１９内のガス圧が過大となった時に逆止弁２０を通じてこの容量調整室１７へのガスの放出を可能とする。また、この逆止弁２１は、熱パッファ動作時のみならず、熱パッファ室１９側のガス圧が容量調整室１７側よりも相対的に低くなる（容量調整室１７側のガス圧が熱パッファ室１９側よりも相対的に高くなる）状況で開弁し、常に容量調整室１７側のガス圧が熱パッファ室１９側よりも同等かそれ以下の状態とする。また、逆止弁２１の開弁時にこの逆止弁２１から固定接触子１１の内側を通る経路で可動接触子１２の先端部等のアーク発生箇所にガスを積極的に供給するようにすれば、アーク消弧効果の向上も期待できる。
【００４０】
次に、本実施形態の特徴的な効果を記載する。
（１）熱パッファ室１９に対して容量調整室１７が並設され、熱パッファ室１９内のガス圧を受けて熱パッファ室１９側から容量調整室１７側にガスが放出されることで熱パッファ室１９の見かけ上の容量が大きくなる。つまり、熱パッファ室１９内のガス圧が低くなりがちな比較的電流値の小さい電流遮断を行う場合には、逆止弁２０が開弁せず熱パッファ室１９の見かけ上の容量拡大が抑えられて熱パッファ室１９内に十分なガス圧を確保しつつも、熱パッファ室１９内のガス圧が高くなりがちな比較的電流値の大きい電流遮断を行う場合には、逆止弁２０が開弁して熱パッファ室１９の見かけ上の容量拡大がなされて熱パッファ室１９内のガス圧が高くなり過ぎることを抑えることができる。これにより、熱パッファによるアーク消弧作用が遮断電流の大きさによってばらつくことを抑えることができ、ガス遮断器１０の遮断性能の向上を図ることができる。
【００４１】
（２）熱パッファ室１９と容量調整室１７とが垂直方向（可動接触子１２の接離方向）に沿って並設されるため、同方向と直交する方向（水平方向）へのガス遮断器１０の大型化が抑えられている。
【００４２】
（３）熱パッファ室１９と容量調整室１７との間に逆止弁２０が用いられる構成のため、比較的簡素な構成にて実現することができる。
（４）容量調整室１７側からその室外（本実施形態では熱パッファ室１９と連通する固定接触子１１の内側空間）への一方向のガスの放出を許容する逆止弁２１は略円筒状をなす固定接触子１１の内側に配置されるため、固定接触子１１の内側スペースを有効利用でき、ガス遮断器１０の大型化の抑制に寄与することができる。
【００４３】
尚、上記実施形態は、以下のように変更してもよい。
・上記実施形態の逆止弁２０，２１は、弁体２０ａ，２１ａをリフト動作する構成のものであったが、弁体２０ａ，２１ａをスイング動作等、他の動作を行う構成のものであってもよい。また、弁体２０ａ，２１ａをボール状のもの等、他の形状のものを用いてもよい。
【００４４】
・上記実施形態では、熱パッファ室１９内のガスを容量調整室１７側に放出すべく貫通孔１６ｄに対して設けられる逆止弁２０と、容量調整室１７内のガスをその室外（熱パッファ室１９と連通する固定接触子１１の内側空間）に放出すべく貫通孔１６ｅに対して設けられる逆止弁２１とを別々に設ける構成としたが、これに限らない。
【００４５】
例えば、図３に示すガス遮断器１０ａでは、容量調整室１７内に周壁部１６ｃの内径と略同径の弁体２２ａと、貫通孔１６ｄ及び貫通孔１６ｅを塞ぐように弁体２２ａを付勢する付勢バネ２２ｂとを備え、貫通孔１６ｄ及び貫通孔１６ｅを同時に弁体２２ａにて開閉する逆止弁２２が設けられる。尚、上底部１６ａには、弁体２２ａに背圧が作用しないようにするための貫通孔１６ｆが設けられる。このように構成しても、熱パッファ室１９内のガス圧を受けて逆止弁２２が開弁して熱パッファ室１９側から容量調整室１７側にガスが放出されることで、熱パッファ室１９の見かけ上の容量が大きくなる。つまり、同様に、熱パッファによるアーク消弧作用が遮断電流の大きさによってばらつくことが抑えられる。
【００４６】
また、この逆止弁２２は、熱パッファ室１９内のガス圧を受けて容量調整室１７の自身の容量を連続的に可変する容量可変機構として機能する。そのため、熱パッファ室１９内のガス圧を連続的に調整することが可能である。そういった意味では、図４に示すガス遮断器１０ｂの容量可変機構２３や、図５に示すガス遮断器１０ｃの容量可変機構２４も同様に機能する。
【００４７】
図４に示すガス遮断器１０ｂでは、上側容器１６の上底部１６ａから上方に膨出部１６ｘが設けられ、膨出部１６ｘ内の容量調整室１７に容量可変機構２３が組み込まれる。容量可変機構２３は、受圧板２３ａと付勢バネ２３ｂとを備え、受圧板２３ａが熱パッファ室１９内のガス圧を受けると付勢バネ２３ｂの付勢力に抗して後退することで、容量調整室１７の自身の容量を連続的に可変するように構成される。尚、図４にて破線矢印で示すように、固定接触子１１やコイル支持部１３にはスリットや孔（図示略）等が設けられ、熱パッファ室１９と容量調整室１７とは連通している。このような容量可変機構２３が設けられることで容量調整室１７の自身の容量が連続的に可変し、熱パッファ室１９内のガス圧を連続的に調整することが可能である。
【００４８】
図５に示すガス遮断器１０ｃでは、上側容器１６の周壁部１６ｃから側方に膨出部１６ｙが設けられ、膨出部１６ｙ内の容量調整室１７に容量可変機構２４が組み込まれる。容量可変機構２４は受圧板２４ａと付勢バネ２４ｂとを備え、上記した容量可変機構２３と同様に動作する。つまり、容量可変機構２４を含む膨出部１６ｙの位置を変更した変形例である。
【００４９】
・また上記以外で、ガス遮断器１０，１０ａ，１０ｂ，１０ｃの構成を適宜変更してもよい。
【符号の説明】
【００５０】
１０，１０ａ，１０ｂ，１０ｃ…ガス遮断器、１１…固定接触子、１２…可動接触子、１４…駆動コイル、１７…容量調整室、１９…熱パッファ室、２０…逆止弁（逆止弁、第１逆止弁）、２１…逆止弁（第２逆止弁）、２２…逆止弁（逆止弁、容量可変機構）、２３…容量可変機構、２４…容量可変機構、Ａ…アーク。
【図１】
0006536248.tif 000002
【図２】
0006536248.tif 000003
【図３】
0006536248.tif 000004
【図４】
0006536248.tif 000005
【図５】
0006536248.tif 000006